(57)【要約】【課題】薄く、軽量かつ小型で、通常ハガキとして郵送可能で、２次元平面上に折り畳まれた薄い待機状態から３次元的な使用状態へ遷移するＶＲ用ゴーグルを提供する。【解決手段】２次元平面上に折り畳まれた待機状態から３次元的な使用状態へ遷移するＶＲ（Virtual Reality）用ゴーグルであって、一端が基板２に連結された接眼面部３と、接眼面部３の他端に連結された天板部５と、一端が基板２に連結されると共に、他端が天板部５に連結された一対の支柱部７と、一対のＶＲ用レンズ４ａを有し、接眼面部３の裏側に設置されたレンズユニット４と、を備え、レンズユニット４が設置された接眼面部３、天板部５および支柱部７は、待機状態では基板２上で２次元的に収容される一方、使用状態では接眼面部３および支柱部７が起立する。【選択図】図７
2018093538.tif 000002
【特許請求の範囲】
【請求項１】
２次元平面上に折り畳まれた待機状態から３次元的な使用状態へ遷移するＶＲ（Virtual Reality）用ゴーグルであって、
一端が基板に連結された接眼面部と、
前記接眼面部の他端に連結された天板部と、
一端が前記基板に連結されると共に、他端が前記天板部に連結された一対の支柱部と、
一対のＶＲ用レンズを有し、前記接眼面部の裏側に設置されたレンズユニットと、を備え、
前記レンズユニットが設置された接眼面部、前記天板部および前記支柱部は、待機状態では前記基板上で２次元的に収容される一方、使用状態では前記接眼面部および前記支柱部が起立することを特徴とするＶＲ用ゴーグル。
【請求項２】
前記基板は、実質的に通常ハガキの形状と大きさを有し、前記接眼面部、前記天板部および前記一対の支柱部は、待機状態では、相互に重畳することなく前記基板上で２次元的に収容されることを特徴とする請求項１記載のＶＲ用ゴーグル。
【請求項３】
前記ＶＲ用レンズは、前記基板および前記天板部がスマートフォンの画面の各長辺を挟持した状態で前記スマートフォンの画面と対向することを特徴とする請求項２記載のＶＲ用ゴーグル。
【請求項４】
前記基板と、前記接眼面部、前記天板部および前記一対の支柱部とは圧着ハガキを構成し、前記レンズユニットは、待機状態では、前記基板と前記接眼面部との間に挟まれていることを特徴とする請求項３記載のＶＲ用ゴーグル。
【発明の詳細な説明】
【技術分野】
【０００１】
本発明は、２次元平面上に折り畳まれた待機状態から３次元的な使用状態へ遷移するＶＲ（Virtual Reality）用ゴーグルに関する。
【背景技術】
【０００２】
従来から、画像を立体視するためのゴーグルが知られている。例えば、特許文献１には、携帯用ゲーム機等の表示画面の画像を立体視するための立体表示具が開示されている。この立体表示具では、側壁と屈曲部が折り畳み可能に設けられており、使用する際には、レンズ、側壁、屈曲部によって所定の位置に位置決めされ、携帯型電子端末によってロの字形状とすることで携帯型電子端末に表示された画像を立体視できるように構成されている。
【０００３】
また、特許文献２に開示されている立体視装置は、光軸上の所定位置に、左側光学素子として頂角が光軸側を向いたプリズムＬ２を貼り合せた凸レンズＬと、右側光学素子として頂角が光軸側を向いたプリズムＲ２を貼り合せた凸レンズＲとがそれぞれ視点側から見て左右に配置された構成が採られている。また、折り畳み可能な一対の表紙を基体としたもので、不使用時には書籍や手帳のように折り畳むことのできる書籍形式が採られている。
【先行技術文献】
【特許文献】
【０００４】
【特許文献１】特開２０１７−０４０８０９号公報
【特許文献２】特開２００５−２２２０２６号公報
【発明の概要】
【発明が解決しようとする課題】
【０００５】
しかしながら、従来の立体視用のゴーグルでは、折り畳んでコンパクト化することはできても、２次元平面上に収容されるほど薄いものはない。特に、２次元平面がハガキサイズであって、通常ハガキとして郵送できるほど軽量化されたものは提案されていない。
【０００６】
本発明は、このような事情に鑑みてなされたものであり、薄く、軽量かつ小型で、通常ハガキとして郵送可能であり、２次元平面上に折り畳まれた薄い待機状態から３次元的な使用状態へ遷移するＶＲ用ゴーグルを提供することを目的とする。
【課題を解決するための手段】
【０００７】
（１）上記の目的を達成するために、本発明は、以下のような手段を講じた。すなわち、本発明のＶＲ用ゴーグルは、２次元平面上に折り畳まれた待機状態から３次元的な使用状態へ遷移するＶＲ（Virtual Reality）用ゴーグルであって、一端が基板に連結された接眼面部と、前記接眼面部の他端に連結された天板部と、一端が前記基板に連結されると共に、他端が前記天板部に連結された一対の支柱部と、一対のＶＲ用レンズを有し、前記接眼面部の裏側に設置されたレンズユニットと、を備え、前記レンズユニットが設置された接眼面部、前記天板部および前記支柱部は、待機状態では前記基板上で２次元的に収容される一方、使用状態では前記接眼面部および前記支柱部が起立することを特徴とする。
【０００８】
このように、レンズユニットが設置された接眼面部、天板部および支柱部は、待機状態では基板上で２次元的に収容される一方、使用状態では接眼面部および支柱部が起立するので、待機状態では、薄く、軽量かつ小型にすることができる。
【０００９】
（２）また、本発明のＶＲ用ゴーグルにおいて、前記基板は、実質的に通常ハガキの形状と大きさを有し、前記接眼面部、前記天板部および前記一対の支柱部は、待機状態では、相互に重畳することなく前記基板上で２次元的に収容されることを特徴とする。
【００１０】
この構成により、ＶＲ用ゴーグルを、ハガキサイズの平面上に収容することが可能となる。特に、通常ハガキの規定重量は、２ｇ〜６ｇであるが、本発明によれば、この規定重量の範囲内に収まるため、郵便で発送し、配達をすることができる。これにより、簡易な構成で立体画像を視聴することが可能となる。
【００１１】
（３）また、本発明のＶＲ用ゴーグルにおいて、前記ＶＲ用レンズは、前記基板および前記天板部がスマートフォンの画面の各長辺を挟持した状態で前記スマートフォンの画面と対向することを特徴とする。
【００１２】
この構成により、使用状態でＶＲ用レンズをスマートフォンの画面に対向させ、立体的な画像を表示することが可能となる。
【００１３】
（４）また、本発明のＶＲ用ゴーグルは、前記基板と、前記接眼面部、前記天板部および前記一対の支柱部とは圧着ハガキを構成し、前記レンズユニットは、待機状態では、前記基板と前記接眼面部との間に挟まれていることを特徴とする。
【００１４】
この構成により、ＶＲ用レンズをコンパクトに収容することができる。その結果、圧着ハガキの内側に収容し、郵便で発送することが可能となる。
【発明の効果】
【００１５】
本発明によれば、待機状態では、薄く、軽量かつ小型で通常ハガキとして郵送可能であり、使用状態では、立体的な画像を表示することが可能となる。
【図面の簡単な説明】
【００１６】
【図１】本実施形態に係るＶＲ用ゴーグル１を、展開した圧着ハガキに施した図である。
【図２】本実施形態に係るＶＲ用ゴーグル１を圧着ハガキ内に収容したときの外観を示す図である。
【図３】圧着ハガキを剥がしながら、本実施形態に係るＶＲ用ゴーグル１を使用状態へ変化させる過程を示す図である。
【図４】圧着ハガキを剥がしながら、本実施形態に係るＶＲ用ゴーグル１を使用状態へ変化させる過程を示す図である。
【図５】本実施形態に係るＶＲ用ゴーグル１が、使用状態となった様子を示す図である。
【図６】本実施形態に係るＶＲ用ゴーグル１が、使用状態となった様子を示す図である。
【図７】ＶＲ用ゴーグル１をスマートフォン１０に取り付けた状態を示す図である。
【図８】レンズユニットの変形例を示す図である。
【発明を実施するための形態】
【００１７】
本発明者は、従来、２次元平面上に収容されるほど薄いＶＲ用ゴーグルが提案されていなかったことに着目し、ハガキサイズであって、紙を中心として構成することによって、２次元平面上に折り畳まれた薄い待機状態から、３次元的な使用状態へ遷移するＶＲ用ゴーグルを提供することができることを見出し、本発明に至った。
【００１８】
すなわち、本発明のＶＲ用ゴーグルは、２次元平面上に折り畳まれた待機状態から３次元的な使用状態へ遷移するＶＲ（Virtual Reality）用ゴーグルであって、一端が基板に連結された接眼面部と、前記接眼面部の他端に連結された天板部と、一端が前記基板に連結されると共に、他端が前記天板部に連結された一対の支柱部と、一対のＶＲ用レンズを有し、前記接眼面部の裏側に設置されたレンズユニットと、を備え、前記レンズユニットが設置された接眼面部、前記天板部および前記支柱部は、待機状態では前記基板上で２次元的に収容される一方、使用状態では前記接眼面部および前記支柱部が起立することを特徴とする。
【００１９】
これにより、本発明者は、薄く、軽量かつ小型で通常ハガキとして郵送可能なＶＲ用ゴーグルを実現することを可能とした。以下、本発明の実施形態について図面を参照しながら具体的に説明する。
【００２０】
［待機状態の構成］
図１は、本実施形態に係るＶＲ用ゴーグル１を、展開した圧着ハガキに施した図である。ＶＲ用ゴーグル１では、基板２と接眼面部３とが、屈折部３ａで接続されている。接眼面部３には、レンズユニット４が設けられている。レンズユニット４には、一対のレンズ４ａが設けられており、一対のレンズ４ａを含む全体が矩形を有するように、透明な樹脂で一体成型されている。なお、本願発明は、レンズユニット４を矩形に限定するわけではなく、より軽量化を図るため、レンズの周囲やレンズとレンズの間を削る態様を採ることも可能である。例えば、図８は、レンズユニットの変形例を示す図であるが、図８に示すように、一対のレンズ４ａを連結するレンズ連結部４０を形成するように、一体成型しても良い。これにより、軽量化を図ることが可能となる。また、一対のレンズ４ａは、薄型で立体視ができるように構成されており、例えば、フレネルレンズ（Fresnel lens）を用いることが可能である。このフレネルレンズは、通常のレンズを同心円状の領域に分割し、厚みを減らしたレンズであり、鋸状の断面を有する。この分割数を多くすればするほど薄くなるため、材料を減らし軽量にすることができるというメリットがある。ただし、本発明は、これに限定されるわけではない。なお、レンズユニット４は、両面テープや接着剤によって接眼面部３に設けられる。
【００２１】
本実施形態に係るＶＲ用ゴーグル１は、接眼面部３と天板部５とが、屈折部３ｂで接続されている。この天板部５は、一対の支柱部７で支持される。天板部５と一対の支柱部７とは、曲折部７ｃで接続されており、基板２と一対の支柱部７とは、屈折部７ｂで接続される。なお、図１では、圧着前の展開した状態を示すため、屈折部７ｂと基板２とは接続されていないが、一対の貼付部７ａが、屈折部７ｄで基板２と接続され、一対の貼付部７ａが基板２に貼り付けられることによって、屈折部７ｂと基板２とが接続される。
【００２２】
接眼面部３および天板部５は、図１の紙面に向かって上下方向の幅が同一となっており、一対のスリット６によって、接眼面部３および天板部５と、一対の支柱部７および一対の貼付部７ａと分割されている。なお、基板２の図１に向かって左端部に、折り返し部２ａが設けられている。本実施形態に係るＶＲ用ゴーグル１では、基板２、接眼面部３、天板部５、支柱部７、貼付部７ａは、紙で形成されている。なお、薄く、軽量であり、紙に近似する機能を有する材料であれば良く、本発明では、紙に限定されるわけではない。
【００２３】
図２は、本実施形態に係るＶＲ用ゴーグル１を圧着ハガキ内に収容したときの外観を示す図である。すなわち、図２は、図１の展開状態において、左側の基板２の上に、右側の天板部５、レンズユニット４、一対の貼付部７ａおよび一対の支柱部７が、屈折部３ａおよび屈折部７ｄにおいて谷折りされることによって重畳された状態を示す。この際、圧着用シートを用いて圧着ハガキを構成するようにしても良い。レンズユニット４の反対側となる接眼面部３には、一対のレンズ４ａに対応する位置に、切り取り用のミシン目が施されたレンズ対応部４ｂが形成されている。なお、ユーザが圧着ハガキを剥がしやすいように、スリット２ｂを設けても良い。このように、２次元平面上に本実施形態に係るＶＲ用ゴーグル１を収容することができるため、圧着ハガキでＶＲ用ゴーグル１を構成することができる。また、レンズユニット４は薄い樹脂で形成されていると共に、ＶＲ用ゴーグル１の主要部分が紙で構成されているため、非常に軽量であり、通常ハガキの規定重量内に収まることとなる。通常ハガキの規定重量は、２ｇ〜６ｇであるが、本発明によれば、この規定重量の範囲内に収まるため、通常ハガキの規定料金で、郵便より発送することが可能となる。
【００２４】
［待機状態から使用状態への変化］
圧着ハガキで構成されたＶＲ用ゴーグル１は、使用状態へ変化することが可能である。図３および図４は、圧着ハガキを剥がしながら、本実施形態に係るＶＲ用ゴーグル１を使用状態へ変化させる過程を示す図である。ユーザは、スリット２ｂから圧着ハガキを剥がし、スリット６によって接眼面部３および天板部５と、一対の支柱部７および一対の貼付部７ａとを分割させながら、天板部５を起立させていく。その際、ミシン目が施されたレンズ対応部４ｂを除去する。これにより、レンズ４ａが露出することとなる。
【００２５】
屈折部７ｂにおいて、一対の支柱部７が谷折りとなって起立し、曲折部７ｃにおいて、一対の支柱部７が緩やかな山折りとなるように曲折することで、天板部５と基板２とが側面から見ると台形を形成するような斜めの面として立ち上がっていく。同時に、接眼面部３が、屈折部３ａで山折りとなることで、基板２から立ち上がり、屈折部３ｂが山折りとなることで、接眼面部３と天板部５とが立ち上がる。
【００２６】
図５および図６は、本実施形態に係るＶＲ用ゴーグル１が、使用状態となった様子を示す図である。このように、２次元平面上に折り畳まれた待機状態から３次元的な使用状態へ遷移し、使用状態では接眼面部３および一対の支柱部７が起立することで、天板部５を支持する。図７は、ＶＲ用ゴーグル１をスマートフォン１０に取り付けた状態を示す図である。このように、一対のレンズ４ａが、スマートフォンの画面と対向し、かつ、平行となるので、ユーザに対して立体的な画像を表示することが可能となる。
【００２７】
なお、圧着ハガキのいずれかの場所に、広告情報や、ＵＲＬやＱＲコード（登録商標）を印刷することが可能である。ユーザは、スマートフォンでこれらの情報を読み取り、対応するサイトへアクセスして、アプリケーションをダウンロードすることが可能である。このアプリケーション内にも広告情報を含めることが可能である。
【００２８】
本実施形態に係るＶＲ用ゴーグル１は、汎用的な立体画像に対応することができるし、専用のアプリケーションが提供する立体画像に対応することもできる。さらに、ユーザがアプリケーションにアクセスした際に、アクセスの日時、圧着ハガキによるダイレクトメールの種類、スマートフォンの種類、ユーザによるアクション（クリック数など）、ユーザの位置などの情報を取得し、マーケティングに活用することも可能である。
【００２９】
以上説明したように、本実施形態に係るＶＲ用ゴーグル１によれば、待機状態では、薄く、軽量かつ小型で通常ハガキとして郵送可能であり、使用状態では、立体的な画像を表示することが可能となる。
【符号の説明】
【００３０】
１  ＶＲ用ゴーグル
２  基板
２ａ  折り返し部
２ｂ  スリット
３  接眼面部
３ａ  屈折部
３ｂ  屈折部
４  レンズユニット
４ａ  レンズ
４ｂ  レンズ対応部
５  天板部
６  スリット
７  支柱部
７ａ  貼付部
７ｂ  屈折部
７ｃ  曲折部
７ｄ  屈折部
１０  スマートフォン
４０  レンズ連結部
【図１】
2018093538.tif 000003
【図２】
2018093538.tif 000004
【図３】
2018093538.tif 000005
【図４】
2018093538.tif 000006
【図５】
2018093538.tif 000007
【図６】
2018093538.tif 000008
【図７】
2018093538.tif 000009
【図８】
2018093538.tif 000010